(57)【特許請求の範囲】
【請求項１】
入来する第１の圧縮符号化方式によるビットストリームと、入来する第２の圧縮符号化方式によるビットストリームを前記第１の圧縮符号化方式によるビットストリームへと変換したビットストリームと、入来するアナログ信号を前記第１の圧縮符号化方式にて圧縮符号化して得たビットストリームとを記録信号として記録媒体に記録する一方、前記記録媒体から再生した再生信号を前記第１の圧縮符号化方式によるビットストリームの形態及び前記アナログ信号の形態で出力可能なディジタル信号記録再生装置において、
前記第２の圧縮符号化方式によるビットストリームを前記第１の圧縮符号化方式によるビットストリームへと変換する第１の変換と、前記アナログ信号をＡ／Ｄ変換処理して得たディジタル信号を前記第１の圧縮符号化方式によるビットストリームへと変換する第２の変換と、前記第１の圧縮符号化方式によるビットストリームを前記ディジタル信号へと変換する第３の変換とを行うことのできるコーデック部と
前記第１乃至第３の変換に対応する複数のマイクロコードを格納したマイクロコード格納部と、
前記マイクロコード格納部に格納される複数のマイクロコードを前記コーデック部に適宜ダウンロードして、前記コーデック部において、第１、第２又は第３の変換が行われるよう前記コーデック部と前記マイクロコード格納部とを制御するマイコンとを備えたことを特徴とするディジタル信号記録再生装置。
【請求項２】
前記各ビットストリームは、映像情報を少なくとも含み、前記マイクロコード格納部から前記コーデック部に前記マイクロコードがダウンロードされている期間は、前記コーデック部からの映像情報をアナログ信号の形態で出力しないことを特徴とする請求項１記載のディジタル信号記録再生装置。
【発明の詳細な説明】
【０００１】
【発明の属する技術分野】
本発明は、Ｄ−ＶＨＳ等のディジタル信号記録再生装置における信号処理回路のハードウェア規模削減に関するものである。
【０００２】
【従来の技術】
近年、ディジタル衛星放送などによるテレビジョン放送のディジタル化に伴い、映像信号のディジタル化が急速に進展しつつある。このような状況の中、ディジタル映像音声信号を記録再生することのできるディジタル信号記録再生装置が開発され、製品化されつつある。
【０００３】
このようなディジタル信号記録再生装置の１つとしては、Ｄ−ＶＨＳ（登録商標）方式の記録再生装置がある。このＤ−ＶＨＳ方式の記録再生装置は、アナログ方式のビデオテープレコーダとして普及しているＶＨＳ（登録商標）方式の記録再生装置の機構系を用いて、ディジタル映像信号を記録再生できるようにしたものであり、ＭＰＥＧ（Ｍｏｖｉｎｇ  Ｐｉｃｔｕｒｅ  Ｅｘｐｅｒｔｓ  Ｇｒｏｕｐ）２方式でエンコードしたディジタル映像信号及びディジタル音声信号をＭＰＥＧトランスポートストリーム規格に基づくビットストリーム（以下、ＭＰＥＧビットストリームと記す）の形態で記録再生することができる。
【０００４】
また、Ｄ−ＶＨＳ方式の記録再生装置にはいくつかのタイプがあり、その１つとしては、入来するＭＰＥＧビットストリームを単に記録再生するだけでなく、アナログ入力によるアナログ映像信号及びアナログ音声信号をその内部でＭＰＥＧビットストリームに変換して記録したり、また、再生したＭＰＥＧビットストリームを変換してアナログ映像信号及びアナログ音声信号として出力したりできるものがある。
【０００５】
また、家庭用ディジタルビデオカメラとして普及しているＤＶ方式のディジタル信号記録再生装置からのＤＶビットストリームをＭＰＥＧビットストリームへと変換し、ＭＰＥＧビットストリームとして記録できるＤ−ＶＨＳ方式の記録再生装置も開発されている。ところが、ＭＰＥＧ方式とＤＶ方式とでは圧縮伸長方式が異なるため、入来するＤＶビットストリームを一旦伸長処理し、その後ＭＰＥＧ方式の圧縮符号化処理をしてＭＰＥＧビットストリームとしてから記録媒体に記録することになる。
【０００６】
図５は、ディジタルインターフェイスとアナログ入出力端子とを備え、入来するＭＰＥＧビットストリームあるいはＤＶビットストリームとアナログ映像音声信号とを切り換えて記録し、また、再生したＭＰＥＧビットストリームをディジタルインターフェイスから出力したり、アナログ映像信号の形態でアナログ入出力端子から出力することのできるＤ−ＶＨＳ方式の記録再生装置を示すものである。
【０００７】
同図に示す記録再生装置について、簡単に説明すると、Ｖｉｎは外部からアナログ映像信号が入来する映像信号入力端子であり、入来するアナログ映像信号は、Ａ／Ｄ変換器１０にてディジタル映像信号に変換され、その後ビデオ処理部１１にて色信号の復調等の処理が行われる。そして、輝度信号及び色差信号の形態となったディジタル映像信号は、切換器１２を介した後にＭＰＥＧエンコーダ部１３でＭＰＥＧ２方式の圧縮符号化処理が施される。
【０００８】
一方、Ａｉｎは外部からアナログ音声信号が入来する音声信号入力端子であり、入来するアナログ音声信号は、Ａ／Ｄ変換器１４でディジタル音声信号に変換され、更に切換器１５を介した後にオーディオ処理部１６で、例えばＭＰＥＧ１オーディオレイヤー２方式の圧縮符号化処理が施される。
【０００９】
そして、ストリーム処理部１７は、ＭＰＥＧエンコーダ部１３からのＭＰＥＧ映像信号とオーディオ処理部１６からのＭＰＥＧ音声信号とによりＭＰＥＧビットストリームを生成する。ストリーム処理部１７からのＭＰＥＧビットストリームは、その後信号切換のためのインターフェイスＡＳＩＣ１８に出力される。
【００１０】
また、ＤｉｏはＩＥＥＥ１３９４規格に基づくディジタルインターフェイス端子、１９はＩＥＥＥ１３９４規格に基づくディジタルインターフェイスであり、外部から入来するＭＰＥＧビットストリームあるいはＤＶビットストリームはディジタルインターフェイス端子Ｄｉｏ及びディジタルインターフェイス１９を介してインターフェイスＡＳＩＣ１８に出力される。
【００１１】
そして、インターフェイスＡＳＩＣ１８は、ストリーム処理部１７が出力するＭＰＥＧビットストリームをＤ−ＶＨＳ信号処理部２０及びディジタルインターフェイス１９に出力する一方、ディジタルインターフェイス１９が出力するＭＰＥＧビットストリームをＤ−ＶＨＳ信号処理部２０及びストリーム処理部１７に出力する。
【００１２】
また、後述の如く、ディジタルインターフェイス１９がＤＶビットストリームを出力する際には、インターフェイスＡＳＩＣ１８はこれをストリーム処理部１７にのみ出力し、Ｄ−ＶＨＳ信号処理部２０がＭＰＥＧビットストリームを出力する際には、インターフェイスＡＳＩＣ１８は、これをディジタルインターフェイス１９及びストリーム処理部１７に出力する。
【００１３】
そして、インターフェイスＡＳＩＣ１８がＤ−ＶＨＳ信号処理部２０にＭＰＥＧビットストリームを出力すると、Ｄ−ＶＨＳ信号処理部２０では、Ｄ−ＶＨＳの仕様に従ってヘッダや誤り訂正符号を付加し、このようにして得たディジタル記録信号は記録アンプ２１に出力される。そして、記録アンプ２１を介したディジタル記録信号は記録媒体２２に記録される。
【００１４】
以上のようにして、同図に示す記録再生装置では、外部から入来するＭＰＥＧビットストリームとアナログ映像音声信号とを記録媒体２２に記録する。なお、ディジタルインターフェイス端子ＤｉｏからＤＶビットストリームが入来した場合は、ディジタルインターフェイス１９がこれを識別し、ＤＶビットストリームはインターフェイスＡＳＩＣ１８を介してストリーム処理部１７にのみ出力される。
【００１５】
そして、ストリーム処理部１７はこのＤＶビットストリームをＤＶデコーダ部２３に出力し、ＤＶデコーダ部２３では、ＤＶ方式の伸長処理を施す。ＤＶデコーダ部２３での伸長処理によりディジタル映像信号とディジタル音声信号とが取り出され、ディジタル映像信号は切換器１２の一方の入力に、ディジタル音声信号は切換器１５の一方の入力に供給される。
【００１６】
そして、これらのディジタル映像信号及びディジタル音声信号に関しては、アナログ映像信号及びアナログ音声信号を記録した際の切換器１２及び１５以降の処理と同様の処理によりＭＰＥＧビットストリームとして記録媒体２２に記録される。また、ＤＶデコーダ部２３が出力するディジタル映像信号及びディジタル音声信号は、夫々図示せぬ経路によりビデオ処理部１１及び後述するＤ／Ａ変換器２８に接続されており、アナログ映像音声信号の形態で出力される。
【００１７】
また、以上に示したように、外部から入来するＭＰＥＧビットストリーム及びＤＶビットストリームを記録する際には、後述するアナログ映像音声信号の出力経路によりこの映像音声信号を出力可能であり、外部から入来するアナログ映像音声信号を記録する際には、ディジタルインターフェイス端子Ｄｉｏを介してこれをＭＰＥＧビットストリームの形態で出力可能である。
【００１８】
また、記録媒体２２に記録されているディジタル信号を再生する際には、記録媒体２２からのディジタル再生信号が再生プリアンプ２４を介して再生処理部２５に出力され、再生処理部２５では波形等化やビタビ復号等の再生信号検出処理が行われる。
【００１９】
そして、再生処理部２５での処理を終えたディジタル再生信号は、Ｄ−ＶＨＳ信号処理部２０で誤り訂正処理が施され、ＭＰＥＧビットストリームが取り出される。このようにして得られたＭＰＥＧビットストリームは、インターフェイスＡＳＩＣ１８、ディジタルインターフェイス１９、ディジタルインターフェイス端子Ｄｉｏを介してＭＰＥＧビットストリームの形態で外部に出力されると共に、ストリーム処理部１７でＭＰＥＧ映像信号及びＭＰＥＧ音声信号が取り出される。
【００２０】
ここで、取り出されたＭＰＥＧ映像信号は、ＭＰＥＧデコーダ部２６で伸長処理が施されて、ディジタル映像信号が復元される。ＭＰＥＧデコーダ部２６からのディジタル映像信号は、更にビデオ処理部１１にて色信号の変調等の処理が行われ、ビデオ処理部１１の出力するディジタル映像信号をＤ／Ａ変換器２７でアナログ映像信号に変換したものが映像信号出力端子Ｖｏｕｔから出力される。
【００２１】
一方、ストリーム処理部１７にて取り出されたＭＰＥＧ音声信号は、オーディオ処理部１６で伸長処理が施された後に、Ｄ／Ａ変換器２８でアナログ音声信号に変換されて音声信号出力端子Ａｏｕｔから出力される。このようにして、記録媒体２２から再生されるディジタル再生信号をＭＰＥＧビットストリームの形態でもアナログ映像音声信号の形態でも出力することができる。
【００２２】
なお、以上に示した各構成は、図示せぬバスを介してマイコン２９に接続されており、マイコン２９が各構成を制御している。
【００２３】
【発明が解決しようとする課題】
ところが、以上のようにＭＰＥＧエンコーダ部１３とＭＰＥＧデコーダ部２６とＤＶデコーダ部２３とをＬＳＩなどのハードウェアにより構成し、それに付随して組み込まれた固定のソフトウェアで動作させようとした場合、装置の回路規模が増大するばかりでなく、装置が複雑化し、コスト削減を図ることが困難になるといった問題があった。
【００２４】
【課題を解決するための手段】
【００２５】
本発明に係るディジタル信号記録再生装置は、
入来する第１の圧縮符号化方式によるビットストリームと、入来する第２の圧縮符号化方式によるビットストリームを前記第１の圧縮符号化方式によるビットストリームへと変換したビットストリームと、入来するアナログ信号を前記第１の圧縮符号化方式にて圧縮符号化して得たビットストリームとを記録信号として記録媒体に記録する一方、前記記録媒体から再生した再生信号を前記第１の圧縮符号化方式によるビットストリームの形態及び前記アナログ信号の形態で出力可能なディジタル信号記録再生装置において、
前記第２の圧縮符号化方式によるビットストリームを前記第１の圧縮符号化方式によるビットストリームへと変換する第１の変換と、前記アナログ信号をＡ／Ｄ変換処理して得たディジタル信号を前記第１の圧縮符号化方式によるビットストリームへと変換する第２の変換と、前記第１の圧縮符号化方式によるビットストリームを前記ディジタル信号へと変換する第３の変換とを行うことのできるコーデック部と
前記第１乃至第３の変換に対応する複数のマイクロコードを格納したマイクロコード格納部と、
前記マイクロコード格納部に格納される複数のマイクロコードを前記コーデック部に適宜ダウンロードして、前記コーデック部において、第１、第２又は第３の変換が行われるよう前記コーデック部と前記マイクロコード格納部とを制御するマイコンとを備えたことを特徴とするものである。
【００２６】
また、本発明に係るディジタル信号記録再生装置において、前記各ビットストリームは、映像情報を少なくとも含み、前記マイクロコード格納部から前記コーデック部に前記マイクロコードがダウンロードされている期間は、前記コーデック部からの映像情報をアナログ信号の形態で出力しないことを特徴とするものである。
【００２７】
【発明の実施の形態】
図１は、本発明に係るディジタル信号記録再生装置を説明するための図であり、図５で示したディジタル信号記録再生装置と同一の構成については同一の符号を付してある。
【００２８】
なお、本発明に係るディジタル信号記録再生装置は、図５に示したディジタル信号記録再生装置におけるＭＰＥＧエンコーダ部１３、ＭＰＥＧデコーダ部２６、ＤＶデコーダ部２３、ストリーム処理部１７、切換器１２及び１５の構成を、コーデック部３０及びメモリ３１に置き換えたものであり、更に、ブルーバック出力部３２が追加してある。
【００２９】
ここでは、まず外部から入来するアナログ映像音声信号又はＭＰＥＧビットストリームを記録する際の動作について説明する。同図において、Ｖｉｎは外部からアナログ映像信号が入来する映像信号入力端子であり、入来するアナログ映像信号は、Ａ／Ｄ変換器１０にてディジタル映像信号に変換され、その後ビデオ処理部１１にて色信号の復調等の処理が行われる。そして、輝度信号及び色差信号の形態となったディジタル映像信号は、コーデック部３０に出力される。
【００３０】
一方、Ａｉｎは外部からアナログ音声信号が入来する音声信号入力端子であり、入来するアナログ音声信号は、Ａ／Ｄ変換器１４でディジタル音声信号に変換され、更にオーディオ処理部１６で、例えばＭＰＥＧ１オーディオレイヤー２方式の圧縮符号化処理が施されて、コーデック部３０に出力される。
【００３１】
ここで、コーデック部３０は、ＬＳＩにより構成され、メモリ３１内に蓄積されている複数のマイクロコードのうち、必要なマイクロコードを後述の如く適宜読み出すことにより図５に示したＭＰＥＧエンコーダ部１３、ＭＰＥＧデコーダ部２６、ＤＶデコーダ部２３の役割を果たすことができる。
【００３２】
つまり、アナログ映像音声信号を記録する際には、メモリ３１からＭＰＥＧ方式の圧縮符号化処理を行うためのマイクロコードがダウンロードされ、ディジタルインターフェイス端子Ｄｉｏから入来するＭＰＥＧビットストリームを記録する際あるいは、後述する如く、記録媒体２２からのＭＰＥＧビットストリームをアナログ映像音声信号の形態で出力する際には、ＭＰＥＧ方式の伸長処理を行うためのマイクロコードがダウンロードされ、また、ディジタルインターフェイス端子Ｄｉｏから入来するＤＶビットストリームを記録する際には、ＤＶ方式の伸長処理とＭＰＥＧ方式の圧縮符号化処理とを行うためのマイクロコードがダウンロードされる。
【００３３】
また、コーデック部３０は、図５に示したストリーム処理部１７の役割も果たしており、ビデオ処理部１１からのディジタル映像信号にＭＰＥＧ方式の圧縮符号化処理を施して得たＭＰＥＧ映像信号と、オーディオ処理部１６からのＭＰＥＧ音声信号とによりＭＰＥＧビットストリームを生成してこれをインターフェイスＡＳＩＣ１８に出力する。
【００３４】
また、ＤｉｏはＩＥＥＥ１３９４規格に基づくディジタルインターフェイス端子、１９はＩＥＥＥ１３９４規格に基づくディジタルインターフェイスであり、外部から入来するＭＰＥＧビットストリームはディジタルインターフェイス端子Ｄｉｏ及びディジタルインターフェイス１９を介してインターフェイスＡＳＩＣ１８に出力される。
【００３５】
そして、インターフェイスＡＳＩＣ１８は、コーデック部３０が出力するＭＰＥＧビットストリームをＤ−ＶＨＳ信号処理部２０及びディジタルインターフェイス１９に出力する一方、ディジタルインターフェイス１９が出力するＭＰＥＧビットストリームをＤ−ＶＨＳ信号処理部２０及びコーデック部３０に出力する。
【００３６】
そして、インターフェイスＡＳＩＣ１８がＤ−ＶＨＳ信号処理部２０にＭＰＥＧビットストリームを出力すると、Ｄ−ＶＨＳ信号処理部２０では、Ｄ−ＶＨＳの仕様に従ってヘッダや誤り訂正符号を付加し、このようにして得たディジタル記録信号は記録アンプ２１に出力される。そして、記録アンプ２１を介したディジタル記録信号は記録媒体２２に記録される。以上のようにして、同図に示す記録再生装置では、外部から入来するＭＰＥＧビットストリームとアナログ映像音声信号とを記録媒体２２に記録する。
【００３７】
また、外部から入来するＤＶビットストリームを記録する場合は、ディジタルインターフェイス端子Ｄｉｏから入力するＤＶビットストリームをディジタルインターフェイス１９が識別し、このＤＶビットストリームはインターフェイスＡＳＩＣ１８を介してコーデック部３０にのみ出力される。
【００３８】
ここで、コーデック部３０には、メモリ３１からＤＶ方式の伸長処理とＭＰＥＧ方式の圧縮符号化処理とを行うためのマイクロコードがダウンロードされており、まず、ＤＶビットストリームに対してＤＶ方式の伸長処理が行われる。なお、ここでＤＶ方式の圧縮伸長方式について説明すると、ＤＶ方式では映像信号に関しては圧縮符号化処理を行っているものの、音声信号に関しては圧縮符号化処理を行っていないため、コーデック部３０は、ＤＶビットストリームから得たＤＶ映像信号に関しては、その内部でＤＶ方式の伸長処理を施してディジタル映像信号を得る一方、伸長処理を施すことなく得たディジタル音声信号に関しては、オーディオ処理部１６に出力する。
【００３９】
そして、コーデック部３０はその内部で得たディジタル映像信号をビデオ処理部１１に出力すると共に該ディジタル映像信号に対してＭＰＥＧ方式の圧縮符号化処理を施す。また、オーディオ処理部１６はコーデック部３０からのディジタル音声信号を後述するＤ／Ａ変換器２８に出力すると共に該ディジタル音声信号に対してＭＰＥＧ１オーディオレイヤー２方式の圧縮符号化処理を施したうえで、これをコーデック部３０に戻し、コーデック部３０内でＭＰＥＧビットストリームが生成される。
【００４０】
なお、コーデック部３０からオーディオ処理部１６へ出力されるディジタル音声信号とＭＰＥＧ方式の圧縮符号化処理を施す際のディジタル音声信号との間にサンプリング周波数や量子化ビット数等の違いがある場合には、オーディオ処理部１６にてその変換処理を行うことは言うまでもない。
【００４１】
このようにして生成されたＭＰＥＧビットストリームは、インターフェイスＡＳＩＣ１８を介してＤ−ＶＨＳ信号処理部２０に出力され、ＭＰＥＧビットストリームの形態で記録媒体２２に記録される。以上のようにして、外部から入来するＤＶビットストリームをＭＰＥＧビットストリームの形態で記録媒体２２に記録する。
【００４２】
なお、外部から入来するアナログ映像音声信号を記録する際には、ディジタルインターフェイス端子Ｄｉｏを介してこれをＭＰＥＧビットストリームの形態で出力可能であり、外部から入来するＭＰＥＧビットストリームを記録する際には、後述するアナログ映像音声信号の出力経路によりアナログ映像音声信号の形態でこれを出力可能であり、外部から入来するＤＶビットストリームを記録する際には、コーデック部３０で伸長処理して得たディジタル映像信号とコーデック部３０がオーディオ処理部１６に出力したディジタル音声信号とをアナログ映像音声信号の形態で出力することが可能である。
【００４３】
次に、記録媒体２２に記録されているディジタル信号を再生する際の動作について説明する。記録媒体２２からのディジタル再生信号は、再生プリアンプ２４を介して再生処理部２５に出力され、再生処理部２５では波形等化やビタビ復号等の再生信号検出処理が行われる。
【００４４】
そして、再生処理部２５での処理を終えたディジタル再生信号は、Ｄ−ＶＨＳ信号処理部２０で誤り訂正処理が施され、ＭＰＥＧビットストリームが取り出される。このようにして得られたＭＰＥＧビットストリームは、インターフェイスＡＳＩＣ１８、ディジタルインターフェイス１９、ディジタルインターフェイス端子Ｄｉｏを介してＭＰＥＧビットストリームの形態で外部に出力されると共に、コーデック部３０に出力される。
【００４５】
ここで、コーデック部３０には、メモリ３１からＭＰＥＧ方式の伸長処理を行うためのマイクロコードがダウンロードされており、コーデック部３０はインターフェイスＡＳＩＣ１８が出力するＭＰＥＧビットストリームからＭＰＥＧ映像信号とＭＰＥＧ音声信号とを得て、ＭＰＥＧ映像信号を伸長処理してディジタル映像信号とすると共に、ＭＰＥＧ音声信号をオーディオ処理部１６に出力する。
【００４６】
そして、コーデック部３０からのディジタル映像信号は、更にビデオ処理部１１にて色信号の変調等の処理が行われ、ビデオ処理部１１の出力するディジタル映像信号をＤ／Ａ変換器２７でアナログ映像信号に変換したものが映像信号出力端子Ｖｏｕｔから出力される。なお、Ｄ／Ａ変換器２７にはブルーバック出力部３２が接続されており、映像信号出力端子Ｖｏｕｔから出力されるアナログ映像信号は後述の如くビデオ処理部１１の出力あるいはブルーバック出力部３２の何れか一方とされる。
【００４７】
また、コーデック部１６が出力するＭＰＥＧ音声信号は、オーディオ処理部１６で伸長処理が施された後に、Ｄ／Ａ変換器２８でアナログ音声信号に変換されて音声信号出力端子Ａｏｕｔから出力される。このようにして、記録媒体２２から再生されるディジタル再生信号をＭＰＥＧビットストリームの形態でもアナログ映像音声信号の形態でも出力することができる。
【００４８】
なお、以上に示した各構成は、図示せぬバスを介してマイコン２９に接続されており、マイコン２９が各構成を制御している。また、オーディオ処理部１６に関してもコーデック部３０と同様に、その内部のマイクロコードが書き換え可能であり、メモリ３１から適宜マイクロコードがダウンロードされることによりその機能が切換えられる。
【００４９】
また、これまでは、入力信号を記録媒体２２に記録する記録状態と、記録媒体２２に記録されているディジタル信号を再生する再生状態とについて説明したが、同図に示すディジタル信号記録再生装置では、電源が入っており、且つ映像音声信号入力端子及びディジタルインターフェイス端子Ｄｉｏからの入力は受け付けているものの記録媒体２２への記録動作も再生動作も行っていない状態がある。このような状態は、ここでは停止状態とされ、各構成は記録動作の時と同様の動作をしているものの記録アンプ２１の出力がオフとされる。つまり、入来するアナログ映像音声信号をＭＰＥＧビットストリームの形態で出力したり、入来するＭＰＥＧビットストリームあるいはＤＶビットストリームをアナログ映像音声信号の形態で出力可能である。
【００５０】
以上に示したように、本発明に係るディジタル信号再生装置は、装置の動作状態に応じて各構成が異なる動作をする。装置の動作状態は、ユーザがリモコンなどを通じて制御信号を送信することにより切換え可能となっており、この制御信号受けた装置内では、制御信号に応じた実行命令が発せられ、マイコン２９がこの実行命令を検出することにより、各構成を制御することになる。
【００５１】
また、装置の動作状態の変化により、マイクロコードの書き換えが必要となる場合の例として、入力をアナログ映像音声信号からＭＰＥＧビットストリームへと切換えた場合、ＭＰＥＧビットストリームからアナログ映像音声信号へと切換えた場合、ＤＶビットストリームからＭＰＥＧビットストリームへと切換えた場合について以下に説明する。
【００５２】
図２は、入力をアナログ映像音声信号からＭＰＥＧビットストリームへと切換えた際の主な構成部分の動作遷移状態を示す図であり、同図及び図３、図４において横軸は時間の推移を示している。ここでは、ディジタル信号記録再生装置内における主な構成部が時間の経過と共にどのような状態となるかを説明する。
【００５３】
まず、ディジタルインターフェイス１９は、切換動作を行うと同時にそれまでディジタルインターフェイス端子Ｄｉｏに出力していたＭＰＥＧビットストリームの出力を停止し、そのために確保していたＩＥＥＥ１３９４伝送路における帯域を開放する。そして、外部から送信されるＭＰＥＧビットストリームを受信するために帯域の確保を行い、コネクションを確立する。このようにして、入来するＭＰＥＧビットストリームを受信する準備が整うと、受信したＭＰＥＧビットストリームをインターフェイスＡＳＩＣ１８に出力する。
【００５４】
また、インターフェイスＡＳＩＣ１８は、それまでディジタルインターフェイス１９からの入力を禁止していたが、ＩＥＥＥ１３９４伝送路における帯域開放のタイミングでその入力を許可し、また、それまでオフとしていたディジタルインターフェイス１９への出力のミュートをＩＥＥＥ１３９４伝送路における帯域開放のタイミングでオンとする。そして、ディジタルインターフェイス１９からのＭＰＥＧビットストリームを待つ。
【００５５】
また、コーデック部３０は、それまでのＭＰＥＧ方式の圧縮符号化処理を停止し、メモリ３１からＭＰＥＧ方式の伸長処理を行うためのマイクロコードのダウンロードを開始する。そして、インターフェイスＡＳＩＣ１８へのＭＰＥＧビットストリームの入来と同時にコーデック部３０にＭＰＥＧビットストリームのデータがロードされ、その後伸長処理を行うのに充分なデータがロードされた時点でＭＰＥＧ方式の伸長処理を終えたディジタル映像信号を出力することになる。
【００５６】
また、ビデオ処理部１１は、コーデック部３０がディジタル映像信号の出力を開始するのに伴い色信号等の変調等の処理を開始し、信号処理を終えたディジタル映像信号の出力を開始する。そして、映像信号出力端子Ｖｏｕｔは、ビデオ信号処理部１１がディジタル映像信号を出力する直前まではブルーバックの映像や「しばらくお待ち下さい」などのメッセージ等を出力してノイズが出力されるのを防止し、ビデオ信号処理部１１のディジタル映像信号の出力に少し遅れてアナログ映像信号の出力を開始する。つまり、装置の動作状態を変化させている期間中は、ブルーバック出力部３２からの入力をＤ／Ａ変換部２７が選択することによりノイズの出力を防止している。
【００５７】
また、オーディオ処理部１６は、それまでのＭＰＥＧ方式の圧縮符号化処理を停止し、メモリ３１からＭＰＥＧ方式の伸長処理を行うためのマイクロコードのダウンロードを開始する。そして、その後ＭＰＥＧ方式の伸長処理を開始する。また、音声信号出力端子Ａｏｕｔは、切換動作を行うと同時にミュートがオンとされ、その後ＭＰＥＧビットストリームが入来するとミュート解除時のノイズが出力されることのないようアナログ音声信号を出力する。
【００５８】
なお、アナログ映像音声信号からＤＶビットストリームへと入力を切換える際には、図２とほぼ同様の動作であるが、メモリ３１からコーデック部３０にダウンロードするマイクロコードがＤＶ方式の伸長処理とＭＰＥＧ方式の圧縮符号化処理とを行うためのものである点と、コーデック部３０がインターフェイスＡＳＩＣ１８からデータをロードした後に、ＤＶ方式の伸長処理とＭＰＥＧ方式の圧縮符号化処理とを同時に行う点が異なる。
【００５９】
また、ＤＶビットストリームへと入力を切換えると、コーデック部３０は、インターフェイスＡＳＩＣ１８にＭＰＥＧ方式の圧縮符号化処理を終えたＭＰＥＧビットストリームを出力すると共に、ＤＶ方式の伸長処理によって得たディジタル映像信号をビデオ処理部１１に出力し、更に、コーデック部３０は、ＤＶビットストリームから取り出したディジタル音声信号をオーディオ処理部１６に出力する。
【００６０】
次に、図３を用いて入力をＭＰＥＧビットストリームからアナログ映像音声信号に切換えた場合について説明する。まず、ディジタルインターフェイス１９は、切換動作を行うと同時にそれまでディジタルインターフェイス端子Ｄｉｏから入力していたＭＰＥＧビットストリームの入力を停止し、そのために確保していたＩＥＥＥ１３９４伝送路における帯域を開放する。そして、外部にＭＰＥＧビットストリームを送信するために帯域の確保を行い、コネクションを確立する。このようにして、ＭＰＥＧビットストリームを送信する準備が整うと、インターフェイスＡＳＩＣ１８からのＭＰＥＧビットストリームを待ってこれを外部に出力する。
【００６１】
また、インターフェイスＡＳＩＣ１８は切換動作と同時にディジタルインターフェイス１９からの入力を禁止する。また、それまで、ディジタルインターフェイス１９への出力のミュートをオンとしていたが、ＩＥＥＥ１３９４伝送路におけるコネクション確立のタイミングでミュートをオフとする。
【００６２】
また、コーデック部３０は、それまでのＭＰＥＧ方式の伸長処理を停止し、メモリ３１からＭＰＥＧ方式の圧縮符号化処理を行うためのマイクロコードのダウンロードを開始する。そして、その後ＭＰＥＧビットストリームの出力を開始するため、ディジタルインターフェイス１９にてコネクションが確立されるとＭＰＥＧビットストリームが外部に出力される。
【００６３】
また、オーディオ処理部１６は、それまでのＭＰＥＧ方式の伸長処理を停止し、メモリ３１からＭＰＥＧ方式の圧縮符号化処理を行うためのマイクロコードのダウンロードを開始する。そして、その後ＭＰＥＧ方式の圧縮符号化処理を開始する。
【００６４】
なお、ここでは、図示していないが、動作状態の切換え期間中は、アナログ映像信号としてブルーバックあるいは「しばらくお待ち下さい」などのメッセージ等を出力しても良いし、また、この場合は切換動作後に切換後の入力信号を直ちに出力することが可能であるため、映像信号入力端子Ｖｉｎからのアナログ映像信号を図示せぬ経路によりそのまま映像信号出力端子Ｖｏｕｔから出力するようにしても良い。
【００６５】
また、ＤＶビットストリームからアナログ映像音声信号へと入力を切換える際には、図３とほぼ同様の動作であるが、コーデック部３０が、それまでのＤＶ方式の伸長処理とＭＰＥＧ方式の圧縮符号化処理とを停止した後にマイクロコードをダウンロードする状態へと移行する点が異なり、更にその際のコーデック部３０及びオーディオ処理部１６の動作が異なる。
【００６６】
次に、図４を用いて入力をＤＶビットストリームからＭＰＥＧビットストリームに切換えた場合について説明する。なお、ここでは、ＩＥＥＥ１３９４の伝送路に複数の外部機器が接続されており、例えば、ＤＶビットストリームを出力する外部機器１とＭＰＥＧビットストリームを出力する外部機器２との間でビットストリームを出力する機器を切換えたものとする。
【００６７】
まず、ディジタルインターフェイス１９は、切換動作を行うと同時にディジタルインターフェイス端子Ｄｉｏから入来するＤＶビットストリームの入力を停止し、そのために確保していたＩＥＥＥ１３９４伝送路における帯域を開放する。そして、外部からＭＰＥＧビットストリームを受信するために帯域の確保を行い、コネクションを確立する。このようにして、ＭＰＥＧビットストリームを受信する準備が整うと、外部からのＭＰＥＧビットストリームを待ってこれをインターフェイスＡＳＩＣ１８に出力する。
【００６８】
また、インターフェイスＡＳＩＣ１８は、切換動作と同時にディジタルインターフェイス１９からの入力を禁止し、ディジタルインターフェイス１９がＭＰＥＧビットストリームを出力するのと同時に入力を許可する。また、それまで、ディジタルインターフェイス１９への出力のミュートをオンとしていたが、その状態を維持する。
【００６９】
また、コーデック部３０は、それまでのＤＶ方式の伸長処理とＭＰＥＧ方式の圧縮符号化処理とを停止し、メモリ３１からＭＰＥＧ方式の伸長処理を行うためのマイクロコードのダウンロードを開始する。そして、その後、インターフェイスＡＳＩＣ１８からＭＰＥＧビットストリームのデータがロードされ、伸長処理を行うのに充分なデータがロードされた時点でＭＰＥＧ方式の伸長処理を終えたディジタル映像信号を出力することになる。
【００７０】
また、ビデオ処理部１１は、コーデック部３０がディジタル映像信号の出力を開始するのに伴い色信号等の変調等の処理を開始し、信号処理を終えたディジタル映像信号の出力を開始する。そして、映像信号出力端子Ｖｏｕｔは、ビデオ信号処理部１１がディジタル映像信号を出力する直前まではブルーバックの映像や「しばらくお待ち下さい」などのメッセージ等を出力してノイズが出力されるのを防止し、ビデオ信号処理部１１のディジタル映像信号の出力に少し遅れてアナログ映像信号の出力を開始する。
【００７１】
また、オーディオ処理部１６は、切換動作と同時にディジタル音声信号の出力を停止し、メモリ３１からＭＰＥＧ方式の伸長処理を行うためのマイクロコードのダウンロードを開始する。そして、その後ＭＰＥＧ方式の伸長処理を開始する。また、音声信号出力端子Ａｏｕｔは、切換動作を行うと同時にミュートがオンとされ、その後ＭＰＥＧビットストリームが入来するとミュート解除時のノイズが出力されることのないようアナログ音声信号の出力を開始する
【００７２】
なお、ＭＰＥＧビットストリームからＤＶビットストリームへと入力を切換える際には、図４とほぼ同様の動作であるが、コーデック部３０がＭＰＥＧ方式の伸長処理を停止した後に、メモリ３１からＤＶ方式の伸長処理とＭＰＥＧ方式の圧縮符号化処理とを行うためのマイクロコードをダウンロードし、その後ＤＶ方式の伸長処理とＭＰＥＧ方式の圧縮符号化処理する点が異なり、更にその際のコーデック部３０及びオーディオ処理部１６の動作も異なる。
【００７３】
【発明の効果】
本発明に係るディジタル信号記録再生装置によれば、マイクロコード格納部からコーデック部にマイクロコードを適宜ダウンロードすることにより、圧縮符号化処理や伸長処理、そして異なる圧縮符号化方式によるビットストリーム間での変換を装置の回路規模を増大させることなく行うことができる。
【００７４】
また、マイクロコードをダウンロードしている期間は、コーデック部からの映像情報をアナログ信号の形態で出力しないため、マイクロコードの書き換えを伴う装置の動作状態切換えの際に、アナログ映像信号としてノイズが出力されることを防止できる。
【図面の簡単な説明】
【図１】本発明に係るディジタル信号記録再生装置を説明するための図である。
【図２】入力をアナログ映像音声信号からＭＰＥＧビットストリームへと切換えた際の主な構成部分の動作遷移状態を示す図である。
【図３】入力をＭＰＥＧビットストリームからアナログ映像音声信号へと切換えた際の主な構成部分の動作遷移状態を示す図である。
【図４】入力をＤＶビットストリームからＭＰＥＧビットストリームへと切換えた際の主な構成部分の動作遷移状態を示す図である。
【図５】従来のディジタル信号記録再生装置を説明するための図である。
【符号の説明】
１０、１４…Ａ／Ｄ変換器
１１…ビデオ処理部
１２、１５…切換器
１３…ＭＰＥＧエンコーダ部
１６…オーディオ処理部
１７…ストリーム処理部
１８…インターフェイスＡＳＩＣ
１９…ディジタルインターフェイス
２０…Ｄ−ＶＨＳ信号処理部
２１…記録アンプ
２２…記録媒体
２３…ＤＶデコーダ部
２４…再生プリアンプ
２５…再生処理部
２６…ＭＰＥＧデコーダ部
２７、２８…Ｄ／Ａ変換器
２９…マイコン
３０…コーデック部
３１…メモリ
３２…ブルーバック出力部
Ｄｉｏ…ディジタルインターフェイス端子
Ｖｉｎ…映像信号入力端子
Ｖｏｕｔ…映像信号出力端子
Ａｉｎ…音声信号入力端子
Ａｏｕｔ…音声信号出力端子
【図１】
0003617390.tif 000002
【図２】
0003617390.tif 000003
【図３】
0003617390.tif 000004
【図４】
0003617390.tif 000005
【図５】
0003617390.tif 000006